(57)【要約】【課題】第１，第２ケース体を相対的にスライドさせてロックし封止する基板ケースの不正開封を防止する。【解決手段】封止手段は、第２低強度部１１４を介して第２ケース体４２の内面側に一体の第２被係合部９６と、第２ケース体４２上に封止操作方向に沿って設けられる略筒状の封止案内枠９１と、この封止案内枠９１により操作前／操作後位置間を移動可能に支持された封止操作部材９２と、開閉スライド方向と封止操作方向との両方に略直交する封止実行方向に沿って封止前／封止後位置間を移動可能な状態で第１ケース体４１の内側に装着された封止係合部材９３とを備え、ロック状態で封止操作部材９２が押圧されて操作後位置まで移動することにより、それに押されて封止係合部材９３が封止後位置に移動し、その封止係合部材９３上の係合部１０４が第２被係合部９６に係合してアンロック状態側へのスライドを阻止するように構成されているものである。【選択図】図８
2011147601.tif 000002
【特許請求の範囲】
【請求項１】
第１，第２ケース体（４１，４２）により構成され且つそれら第１，第２ケース体（４１，４２）の間に基板（２３）を収容可能な基板ケース（２４）と、この基板ケース（２４）を閉じた状態で前記第１，第２ケース体（４１，４２）を互いに封止可能な封止手段（４３）とを備え、前記基板ケース（２４）は、前記第１ケース体（４１）と前記第２ケース体（４２）とを互いに嵌め合わせた状態で所定の開閉スライド方向に相対的にスライドさせることにより、それら第１ケース体（４１）と第２ケース体（４２）とが互いに係合して閉状態で保持されるロック状態と、互いの係合が解除されて開放可能なアンロック状態とに切り換え可能に構成され、前記封止手段（４３）は、前記ロック状態から前記アンロック状態側へのスライドを阻止することにより、前記第１ケース体（４１）と前記第２ケース体（４２）とを閉状態で封止するように構成された遊技機において、前記封止手段（４３）は、外部から容易に損壊可能な第２低強度部（１１４）を介して前記第２ケース体（４２）の内面側に一体に設けられた第２被係合部（９６）と、前記第２ケース体（４２）上に設けられ且つ所定の封止操作方向に沿って前記基板ケース（２４）の内外に貫通する略筒状の封止案内枠（９１）と、該封止案内枠（９１）により操作前位置とそれよりも内側の操作後位置との間で移動可能に支持された封止操作部材（９２）と、前記開閉スライド方向と前記封止操作方向との両方に略直交する封止実行方向に沿って封止前位置と封止後位置との間で移動可能な状態で前記第１ケース体（４１）の内側に装着された封止係合部材（９３）とを備え、前記ロック状態で前記基板ケース（２４）の外側から前記封止操作部材（９２）が押圧されて前記操作前位置から前記操作後位置まで移動することにより、その封止操作部材（９２）に押されて前記封止係合部材（９３）が前記封止前位置から前記封止後位置に移動し、その封止係合部材（９３）上の係合部（１０４）が前記第２被係合部（９６）に係合して前記アンロック状態側へのスライドを阻止するように構成されていることを特徴とする遊技機。
【請求項２】
前記封止操作部材（９２）上の押圧面（９２ｆ）と前記封止係合部材（９３）上の被押圧面（９３ｂ）とが、互いに摺動自在に対向し且つ前記封止操作方向と前記封止実行方向との両方に対して斜めに形成されていることを特徴とする請求項１に記載の遊技機。
【請求項３】
前記押圧面（９２ｆ）と前記被押圧面（９３ｂ）とは、前記封止実行方向よりも前記封止操作方向寄りの傾斜角度に形成されていることを特徴とする請求項２に記載の遊技機。
【請求項４】
前記封止操作部材（９２）は前記封止案内枠（９１）内に略隙間のない状態で装着されていることを特徴とする請求項１〜３の何れかに記載の遊技機。
【請求項５】
前記封止操作部材（９２）は、前記封止案内枠（９１）に対して前記基板ケース（２４）の内側から装着可能に構成されると共に前記操作前位置よりも外側への移動を阻止する抜け止め手段（１０３）を備えたことを特徴とする請求項１〜４の何れかに記載の遊技機。
【請求項６】
前記封止操作部材（９２）を前記操作前位置で保持する操作前位置保持手段（１０１）と、前記封止操作部材（９２）を前記操作後位置で保持する操作後位置保持手段（１０２）とを備えたことを特徴とする請求項１〜５の何れかに記載の遊技機。
【請求項７】
前記封止手段（４３）は、外部から容易に損壊可能な第１低強度部（１１２）を介して前記第１ケース体（４１）の内面側に一体に設けられた第１被係合部（９４）を備え、前記封止係合部材（９３）が前記封止前位置から前記封止後位置に移動したとき、前記係合部（１０４）が前記第１被係合部（９４）と前記第２被係合部（９６）とに係合して前記アンロック状態側へのスライドを阻止するように構成されていることを特徴とする請求項１〜６の何れかに記載の遊技機。
【請求項８】
前記第１被係合部（９４）及び前記第２被係合部（９６）は、前記係合部（１０４）が係合したとき、前記開閉スライド方向と前記封止実行方向とで形成される平面内での前記封止係合部材（９３）の揺動を夫々阻止するように構成されていることを特徴とする請求項７に記載の遊技機。
【請求項９】
前記封止手段（４３）は、前記第１被係合部（９４）とは別に前記第１ケース体（４１）の内面側に一体に設けられた第１規制部（９５）と、前記第２被係合部（９６）とは別に前記第２ケース体（４２）の内面側に一体に設けられた第２規制部（９７）とを備え、それら第１規制部（９５）と第２規制部（９７）とは、前記封止後位置にある前記封止係合部材（９３）に係合して前記アンロック状態側へのスライドを阻止するように構成されていることを特徴とする請求項８に記載の遊技機。
【請求項１０】
前記封止手段（４３）を複数組備え、それら各封止手段（４３）の前記封止係合部材（９３）は、容易に破断可能な低強度連結部（１０９）を介して連結部材（１０８）に一体に連結され、前記封止係合部材（９３）は、前記封止操作部材（９２）に押されて前記封止前位置から前記封止後位置に移動する際に前記低強度連結部（１０９）が破断して前記連結部材（１０８）から切り離されるように構成されていることを特徴とする請求項１〜９の何れかに記載の遊技機。
【請求項１１】
前記連結部材（１０８）を第１ケース体（４１）に固定したことを特徴とする請求項１０に記載の遊技機。
【発明の詳細な説明】
【技術分野】
【０００１】
本発明は、閉状態で封止可能な基板ケースを備えたパチンコ機、スロットマシン等の遊技機に関するものである。
【背景技術】
【０００２】
パチンコ機等の遊技機では、各種制御基板等が基板ケースに格納された状態で本体裏側等に装着されている。一般的な基板ケースは、第１ケース体と第２ケース体とを開閉可能に嵌め合わせることにより略箱形となるように構成されており、更に不正防止のため、第１ケース体と第２ケース体とを閉状態で封止でき、開封した場合にはその痕跡が残るようになったものも存在する。
【０００３】
この種の基板ケースの中には、特許文献１に記載されているように、第１ケース体と第２ケース体とを基板の両面側から互いに嵌め合わせたアンロック状態から、更に基板に沿う方向に相対的にスライドさせることにより、互いに係合して閉状態で保持されるロック状態となるように構成されると共に、ロック状態からアンロック状態側へのスライドを阻止することにより閉状態で封止する封止手段を備えたものが存在する。
【０００４】
この特許文献１に記載された発明では、第２ケース体側に設けられた封止部材を基板ケースの外側から内向きに押圧することにより、その封止部材が第２ケース体から切り離されて第１ケース体側の被結合部に結合し、この封止部材によってロック状態からアンロック状態側へのスライドが阻止されるようになっている。
【先行技術文献】
【特許文献】
【０００５】
【特許文献１】特開２００９−１５３５８５号公報
【発明の概要】
【発明が解決しようとする課題】
【０００６】
この特許文献１に記載されたような基板ケースでは、封止を行う際に基板ケースの外側から封止部材を直接押圧操作するようになっているため、封止部材は封止後も引き続き基板ケースの外部に晒されると共に、封止部材と基板ケースとの間に比較的大きな隙間が残るため、その隙間からゴト具を挿入することにより、被結合部への封止部材の結合を解除して、痕跡を残すことなく基板ケースを開封する不正行為が行われる可能性を否定できない。
【０００７】
本発明は、上記事情に鑑みてなされたものであり、その目的とするところは、第１ケース体と第２ケース体とを相対的にスライドさせることによりロックし封止するように構成された基板ケースの不正開封を効果的に防止できる遊技機を提供することにある。
【課題を解決するための手段】
【０００８】
本発明は、第１，第２ケース体４１，４２により構成され且つそれら第１，第２ケース体４１，４２の間に基板２３を収容可能な基板ケース２４と、この基板ケース２４を閉じた状態で前記第１，第２ケース体４１，４２を互いに封止可能な封止手段４３とを備え、前記基板ケース２４は、前記第１ケース体４１と前記第２ケース体４２とを互いに嵌め合わせた状態で所定の開閉スライド方向に相対的にスライドさせることにより、それら第１ケース体４１と第２ケース体４２とが互いに係合して閉状態で保持されるロック状態と、互いの係合が解除されて開放可能なアンロック状態とに切り換え可能に構成され、前記封止手段４３は、前記ロック状態から前記アンロック状態側へのスライドを阻止することにより、前記第１ケース体４１と前記第２ケース体４２とを閉状態で封止するように構成された遊技機において、前記封止手段４３は、外部から容易に損壊可能な第２低強度部１１４を介して前記第２ケース体４２の内面側に一体に設けられた第２被係合部９６と、前記第２ケース体４２上に設けられ且つ所定の封止操作方向に沿って前記基板ケース２４の内外に貫通する略筒状の封止案内枠９１と、該封止案内枠９１により操作前位置とそれよりも内側の操作後位置との間で移動可能に支持された封止操作部材９２と、前記開閉スライド方向と前記封止操作方向との両方に略直交する封止実行方向に沿って封止前位置と封止後位置との間で移動可能な状態で前記第１ケース体４１の内側に装着された封止係合部材９３とを備え、前記ロック状態で前記基板ケース２４の外側から前記封止操作部材９２が押圧されて前記操作前位置から前記操作後位置まで移動することにより、その封止操作部材９２に押されて前記封止係合部材９３が前記封止前位置から前記封止後位置に移動し、その封止係合部材９３上の係合部１０４が前記第２被係合部９６に係合して前記アンロック状態側へのスライドを阻止するように構成されているものである。
【発明の効果】
【０００９】
本発明によれば、封止係合部材９３は基板ケース２４の外側には晒されないため、封止係合部材の第１被係合部９６への係合を解除して痕跡を残すことなく基板ケースを開封する不正行為を効果的に防止できる。
【図面の簡単な説明】
【００１０】
【図１】本発明の一実施形態を示すパチンコ機の全体正面図である。
【図２】遊技盤の背面図である。
【図３】集球ケース及び主基板ケースの分解斜視図である。
【図４】第１ケース体及び第２ケース体の背面図である。
【図５】封止係合部材の背面図及び側面図である。
【図６】第２ケース体、第１ケース体、封止操作部材及び封止係合部材の要部拡大斜視図である。
【図７】主基板ケースの結合手順を示す説明図である。
【図８】主基板ケースの封止前後における側面断面図である。
【図９】主基板ケースの封止後における背面断面図である。
【図１０】主基板ケースの封止後における要部破断斜視図である。
【図１１】主基板ケースの開封手順を示す側面断面図である。
【図１２】主基板ケースの開封手順を示す背面断面図である。
【図１３】主基板ケースの変更例を示す平面断面図である。
【発明を実施するための形態】
【００１１】
以下、本発明の実施形態を図面に基づいて詳述する。図１〜図１２は本発明をパチンコ機に採用した一実施形態を例示している。なお、以下の説明における上下左右の方向については、特に基準を示さない限り遊技機本体を前側から見た場合の上下左右をいうものとする。
【００１２】
図１において、１は遊技機本体で、矩形状の外枠２と、この外枠２の前側に開閉自在に枢着された前枠３とを備えている。前枠３は左端側の上下一対のヒンジ４を介して外枠２に着脱及び開閉自在に装着されている。前枠３の上部側には遊技盤５が例えば前側から着脱自在に装着されると共に、遊技盤５の前側にガラス扉６が、ガラス扉６の下側に隣接して前面開閉板７が夫々配置されている。ガラス扉６、前面開閉板７はヒンジ４と同一側のヒンジにより前枠３に開閉自在に枢支されている。前面開閉板７には、その前側に、発射手段８に供給するための遊技球を貯留する貯留皿９、発射手段８を作動させるための発射ハンドル１０等が設けられている。
【００１３】
遊技盤５の前側には、発射手段８により発射された遊技球を案内するガイドレール１１が環状に装着されると共に、そのガイドレール１１内の遊技領域１２には、画像表示手段１３を備えたセンターケース１４の他、通過ゲート１５、開閉式入賞手段１６、大入賞手段１７、普通入賞手段１８等の各種遊技部品が装着されている。
【００１４】
また、遊技盤５の裏側には、図２に示すように、センターケース１４等の遊技部品を後側から覆う裏カバー２１と集球ケース２２とが上下に配置され、例えば集球ケース２２の背面側に主制御基板２３が格納された主基板ケース２４が、裏カバー２１の背面側に演出制御基板２５が格納された演出基板ケース２６、液晶制御基板２７が格納された液晶基板ケース２８が夫々着脱自在に装着されている。集球ケース２２は、開閉式入賞手段１６、大入賞手段１７、普通入賞手段１８等に入賞して遊技盤５の裏側に案内された遊技球を集めて排出口２９から回収通路（図示省略）側へと案内するためのもので、図３に示すように上面側と前面側とが開放した略箱形に形成されており、裏カバー２１の下側に近接して配置され、遊技盤５の裏側に着脱自在に固定されている。
【００１５】
集球ケース２２の背面側には、例えばその略中央に主基板ケース２４を着脱自在に装着可能な主基板ケース装着部３１が設けられ、また例えばその主基板ケース装着部３１の一側には、遊技盤５を前枠３側に装着したときに前枠３側のコネクタ（図示省略）に直接結合される遊技盤側コネクタ３２が複数配置されている。主基板ケース装着部３１は、集球ケース２２の背面側に設けられた装着開口部３３と、その装着開口部３３の上下両縁側に沿って配置される装着レール３４と、主基板ケース２４の一端側、例えば左端側を保持する第１保持手段３５と、この第１保持手段３５により一端側が保持された主基板ケース２４の他端側を解除可能に保持する締結つまみ等よりなる第２保持手段３６とを備えている。
【００１６】
この主基板ケース装着部３１に装着される主基板ケース２４は、全体として扁平な略矩形状であって、図３に示すように、互いに嵌め合わせ可能な第１ケース体４１と第２ケース体４２とを備えると共に、その外周側の一辺、例えば左端側に沿って封止手段４３（図２）が設けられている。そして、主基板ケース２４内の空間は、図４等に示すように、封止手段４３に対応する封止領域２４ｂと、それ以外の基板格納領域２４ａとに区分されており、その基板格納領域２４ａ内に主制御基板２３が格納されている。
【００１７】
主制御基板２３は矩形状であって、その一面側には、中央寄りの部分にＣＰＵ，ＲＯＭ，ＲＡＭ等の電子部品４６が配置され、また外縁部近傍には複数のコネクタ４７が配置されると共に位置決め孔４８及び固定孔４９（図３）が形成されている。
【００１８】
第２ケース体４２は、例えば透明な合成樹脂製で、図３，図４，図６等に示すように、主制御基板２３の電子部品装着面２３ａ側に対向する上壁５１と、その上壁５１の三辺、例えば上下辺及び右辺に沿って主制御基板２３の裏面２３ｂ側に向けて延設された周壁５２〜５４とを一体に備え、主制御基板２３の裏面２３ｂ側に対応する面、及び外周側の残りの一方側、即ち左側の面はその略全面が開放されて開口５５，５６を形成している。
【００１９】
そして、上壁５１の内面側には、例えば左側の開口５６から所定距離内側（右周壁５４側）の位置に仕切り壁５７が右周壁５４と略平行に配置されている。この仕切り壁５７は、主基板ケース２４内の空間を封止領域２４ｂと基板格納領域２４ａとに仕切るもので、周壁５２〜５４と仕切り壁５７とで取り囲まれた領域が基板格納領域２４ａ、仕切り壁５７よりも開口５６側の領域が封止領域２４ｂとなっている。
【００２０】
上壁５１のうち、基板格納領域２４ａに対応する基板側上壁５１ａには、その内部に配置される主制御基板２３との間に電子部品４６の収容空間を確保できるように外向きに膨出する膨出部６１が形成されると共に、例えば周壁５２，５３，５４に沿って膨出部６１よりも低い段部６２が１又は複数形成されている。段部６２には、主制御基板２３側のコネクタ４７が内側から嵌合するコネクタ嵌合孔６３が夫々１又は複数設けられている。主制御基板２３は、電子部品装着面２３ａを上壁５１側に向けた状態で第２ケース体４２の基板格納領域２４ａ内に嵌め込まれ、ねじ止め等により固定されている。
【００２１】
上壁５１のうち、封止領域２４ｂに対応する封止側上壁５１ｂは、例えば基板側上壁５１ａ側の膨出部６１と段部６２との間の高さに設けられており、その外周に沿って囲いリブ６４が外向きに所定高さで突設されている。封止側上壁５１ｂの周壁５２，５３側の両端部における開口５５側には、開口５６側に向けて封止側上壁５１ｂと略平行に突出する一対の係合突部６５が一体に設けられている。また、上下の周壁５２，５３には、その外面側に突出する係合爪６６が、開口５５側の縁部に沿って間欠的に複数設けられている。
【００２２】
第１ケース体４１は、例えば透明な合成樹脂製で、図３，図４，図６等に示すように、第２ケース体４２の開口５５に対応する底壁７１と、第２ケース体４２の開口５６に対応して底壁７１の一辺、即ち左辺から第２ケース体４２側に立設された側壁７２と、底壁７１の他の三辺、即ち上辺，下辺及び右辺に沿って第２ケース体４２側に立設された嵌合壁７３〜７５とを一体に備えており、第２ケース体４２に向かい合わせに嵌め合わせたとき、底壁７１，側壁７２が夫々第２ケース体４２側の開口５５，５６を夫々略閉鎖すると共に、嵌合壁７３〜７５が夫々第２ケース体４２側の周壁５２〜５４の外面側に嵌合するようになっている。
【００２３】
また、底壁７１には、第２ケース体４２側の上下の周壁５２，５３の内面側に沿う一対の案内壁７６，７７が、側壁７２の内面側から嵌合壁７５側に向けて上下の嵌合壁７３，７４の内側に平行に配置されている。これら案内壁７６，７７と嵌合壁７３，７４との間は、第２ケース体４２側の周壁５２，５３が摺動自在に嵌合する案内溝７８，７９となっている。
【００２４】
また、上下の嵌合壁７３，７４には、第２ケース体４２の係合爪６６が夫々係脱自在に係合可能な被係合部８０が設けられている。この被係合部８０は、第２ケース体４２側の係合爪６６が夫々嵌脱自在に嵌合する複数の切り欠き部８１と、案内溝７８，７９に沿ってこれら切り欠き部８１に対して例えば封止領域２４ｂとは反対側（右側）に隣接して設けられ且つ係合爪６６が夫々係合する係止部８２とで構成されており、係合爪６６を夫々切り欠き部８１に嵌合させるように第２ケース体４２を第１ケース体４１に嵌め合わせ  （アンロック状態）、第２ケース体４２を第１ケース体４１に対して封止領域２４ｂとは反対側（右側）に向けて相対的にスライドさせたとき（以下、この方向を「開閉スライド方向」という）、係合爪６６が係止部８２に夫々係合して、第１ケース体４１と第２ケース体４２とが互いに結合状態でロックされる（ロック状態）ようになっている。
【００２５】
側壁７２には、第２ケース体４２側の係合突部６５に対応する一対の被係合穴８３（図７，図９，図１０等）が形成されており、第１ケース体４１と第２ケース体４２とをアンロック状態に嵌め合わせる前に、図７に示すように、第２ケース体４２側の係合突部６５をこの被係合穴８３に差し込むことにより、係合突部６５が被係合穴８３に係合して第１，第２ケース体４１，４２の開方向への移動を阻止するようになっている。更に、第１ケース体４１の外周部には、主基板ケース装着部３１の第２保持手段３６が係脱自在に係合する被係合部８４が外向きに一体形成されている。
【００２６】
封止手段４３は、主基板ケース２４の封止領域２４ｂに対応して、第２ケース体４２の開口５６及び第１ケース体４１の側壁７２に沿って例えば一列状に複数組（ここでは２組）配置されている。各封止手段４３は、第２ケース体４２の封止側上壁５１ｂ上に一体に設けられ且つ主基板ケース２４の内外に貫通する筒状の封止案内枠９１と、第１，第２ケース体４１，４２とは別体に形成され且つ封止案内枠９１内に装着される封止操作部材９２と、第１，第２ケース体４１，４２及び封止操作部材９２とは別体に形成されて第１ケース体４１の内側に装着される封止係合部材９３と、第１ケース体４１の内面側に一体に設けられた第１被係合部９４及び第１規制部９５と、第２ケース体４２の内面側に一体に設けられた第２被係合部９６及び第２規制部９７とを備えている。
【００２７】
封止案内枠９１は、主制御基板２３に垂直な方向（以下、この方向を「封止操作方向」という）に配置され、第２ケース体４２の封止側上壁５１ｂを内外に貫通するように一体に設けられており、図６，図８等に示すように、例えば開閉スライド方向に対向する一対の側枠板９１ａ，９１ｂと、開閉スライド方向に直交する方向に対向する前枠板９１ｃ及び後枠板９１ｄとで例えば略正方形の角筒状に形成されている。なお本実施形態では、２組の封止手段４３を構成する各１個の封止案内枠９１が、後枠板９１ｄを背中合わせにした状態で第２ケース体４２の開口５６に沿って所定間隔で配置されている。
【００２８】
また、封止案内枠９１の内面側には、軸方向、即ち封止操作方向のガイド溝９８が、例えば側枠板９１ａ，９１ｂに沿って設けられている。このガイド溝９８は、少なくともその内端部側が封止案内枠９１の端部（内端部）に達しておらず、それらガイド溝９８の内端部と封止案内枠９１の内端部との間には一定の溝欠落部９８ａが形成されている。更に、封止案内枠９１の内端部には、例えばガイド溝９８に対応する位置に、軸方向に凹入する切欠部９９が形成されている。即ち、ガイド溝９８と切欠部９９とは、一定長さの溝欠落部９８ａを挟んで封止操作方向の同一直線上に配置されている。
【００２９】
封止操作部材９２は、主基板ケース２４を封止する際の外部操作を受けてその力を封止係合部材９３側に伝達するもので、図５，図６，図８等に示すように、例えば封止案内枠９１の後枠板９１ｄ側が開放した略箱形に形成されており、一対の側壁面９２ａ，９２ｂを側枠板９１ａ，９１ｂの内面に、前壁面９２ｃを前枠板９１ｃの内面に夫々沿わせ、外端面９２ｄで封止案内枠９１を軸方向に略閉鎖した状態で、封止案内枠９１内に軸方向摺動自在に装着されている。また、封止操作部材９２の内端面９２ｅと前壁面９２ｃとの間には、それらを斜めに接続する押圧傾斜面９２ｆが設けられている。この押圧傾斜面９２ｆは、封止操作方向の内向きに対して、所定の封止実行方向側に傾斜するように設けられている。ここで、封止実行方向は、開閉スライド方向と封止操作方向との両方に直交する方向で、本実施形態では２つの封止案内枠９１の並び方向（図４における上下方向）が封止実行方向となっている。
【００３０】
また、封止操作部材９２の外面側には、封止案内枠９１側のガイド溝９８の内外両端部に対応して例えば小さな略半球状に形成された第１，第２突起１０１，１０２と、切欠部９９に対応して設けられ且つ第１，第２突起１０１，１０２よりも大きく突出する係合突起１０３とが例えば側壁面９２ａ，９２ｂ上に一体に設けられている。封止操作部材９２は、封止案内枠９１内にその内端部側から挿入されるが、封止案内枠９１内の所定の「操作前位置」にきたとき（図８（ａ）の状態）、係合突起１０３が封止案内枠９１側の切欠部９９に係合してその軸方向外向きの移動が阻止され、主基板ケース２４の外側に抜き取ることはできないようになっている。この係合突起１０３が、操作前位置よりも外側への移動を阻止する抜け止め手段の一例である。
【００３１】
また封止操作部材９２は、封止案内枠９１に挿入される際に、第１，第２突起１０１，１０２が例えば側壁面９２ａ，９２ｂと共に弾性変形しつつ溝欠落部９８ａを順次乗り越えてガイド溝９８内に嵌合し、封止操作部材９２が操作前位置に達したとき、内端側の第１突起１０１がガイド溝９８の内端側に係脱可能に係合するようになっている。これにより、封止操作部材９２は軸方向外側だけでなく軸方向内側への移動も規制され、操作前位置（図８（ａ））に保持される。この第１突起１０１が、封止操作部材９２を操作前位置で保持する操作前位置保持手段の一例である。なお、封止操作部材９２は、操作前位置ではその外端面９２ｄが封止案内枠９１の外端部と略一致するようになっている。
【００３２】
このように、第１突起１０１がガイド溝９８の内端側に係合することによって操作前位置で保持される封止操作部材９２は、封止案内枠９１の外端側から内向きに押圧されることにより、第１突起１０１のガイド溝９８への係合が容易に解除され、封止案内枠９１内を軸方向内向きに摺動する。その際、第１突起１０１に続いて外端側の第２突起１０２も溝欠落部９８ａを乗り越え、例えば内端面９２ｅが第１ケース体４１の底壁７１に当接して封止操作部材９２の内側への移動が阻止されたとき（図８（ｂ）の上側の封止操作部材９２参照）（以下、この位置を「操作後位置」という）、第２突起１０２が封止案内枠９１の切欠部９９に係脱可能に係合するようになっている。これにより、封止操作部材９２は軸方向内側だけでなく軸方向外側への移動も規制され、操作後位置に保持される。この第２突起１０２が、封止操作部材９２を操作後位置で保持する操作後位置保持手段の一例である。
【００３３】
封止係合部材９３は、封止操作部材９２を経て入力された封止操作に基づいて第１ケース体４１と第２ケース体４２とを閉状態で封止するもので、図５，図６，図８，図９等に示すように、第１ケース体４１の底壁７１に沿う案内面９３ａと、封止操作部材９２側の押圧傾斜面９２ｆに対応する被押圧傾斜面９３ｂと、封止実行方向に沿って被押圧傾斜面９３ｂとは反対向きに突出する係合ピン１０４とを一体に備えている。
【００３４】
案内面９３ａは、第１ケース体４１の底壁７１の内面側に摺接し、当該封止係合部材９３をその底壁７１に沿って案内するようになっている。なお、第１ケース体４１の底壁７１には、その内面側に僅かに突出する突条１０５が封止実行方向に沿って設けられており、案内面９３ａはこの突条１０５上に摺接するようになっている。
【００３５】
被押圧傾斜面９３ｂは、案内面９３ａの操作実行方向一端側から斜めに立ち上がっており、封止案内枠９１内に装着された封止操作部材９２の押圧傾斜面９２ｆに対して摺動自在に対向するように同一方向反対向きに設けられており、封止操作部材９２が操作前位置から操作後位置まで移動する際にその押圧傾斜面９２ｆに摺接してその押圧傾斜面９２ｆからの力を受けるようになっている。なお、封止係合部材９３は案内面９３ａが第１ケース体４１の底壁７１に摺接しているため、被押圧傾斜面９３ｂが押圧傾斜面９２ｆからの力を受けることにより封止係合部材９３は底壁７１に沿って封止実行方向に移動する（図８（ａ）→（ｂ））。
【００３６】
なお、押圧傾斜面９２ｆと被押圧傾斜面９３ｂとは、封止実行方向よりも封止操作方向寄りの傾斜角度となるように設けられている。即ち図５に示すように、封止操作方向と、押圧傾斜面９２ｆ及び被押圧傾斜面９３ｂとのなす角をα、押圧傾斜面９２ｆ及び被押圧傾斜面９３ｂと封止実行方向とのなす角をβとすると、α＜β（但し、α＋β＝９０°）となっている。これにより、封止操作部材９２を操作前位置から操作後位置に向けて押圧操作することにより封止係合部材９３を移動させる際にはそれほど大きな力は要しないが、逆に封止係合部材９３を操作することにより封止操作部材９２を操作後位置から操作前位置に向けて移動させようとすると非常に大きな力が必要となる。
【００３７】
係合ピン（係合部）１０４は、例えば案内面９３ａの操作実行方向他端側から垂直に起立する前端面９３ｃから操作実行方向に向けて一体に突設されており、例えば断面矩形状の軸部１０６と、この軸部１０６の先端側に設けられた圧入先端部１０７とを備えている。圧入先端部１０７は、その後端側が軸部１０６よりも幅広で、先端側が軸部１０６よりも幅狭の例えば略台形状に形成されている。
【００３８】
なお本実施形態では、２組の封止手段４３を構成する各１個の封止係合部材９３が１つの連結部材１０８により一体に連結されている。即ち、２つの封止係合部材９３は、図５等に示すように係合ピン１０４が互いに反対向きとなるように背中合わせで配置され、それらの間に配置された連結部材１０８に対して低強度連結部１０９を介して一体に連結されている。低強度連結部１０９は、軸方向の引張力を加えることにより容易に破断可能な程度に断面が小さく絞られている。連結部材１０８には、第１ケース体４１の底壁７１から内向きに突設されたカシメピン１１０に対応する挿通孔１１１が形成されており、カシメピン１１０の熱カシメにより第１ケース体４１に対して取り外し不能に固定されている。即ち、各封止係合部材９３は、この連結部材１０８を介して第１ケース体４１の底壁７１の内面側に固定されている。
【００３９】
封止係合部材９３は、連結部材１０８により第１ケース体４１に固定されている状態では、封止案内枠９１内の操作前位置にある封止操作部材９２の内側で押圧傾斜面９２ｆと被押圧傾斜面９３ｂとの端部同士が互いに当接又は近接する位置（以下、「封止前位置」という）にある（図８（ａ））。そして、その状態から封止操作部材９２が内向きに押圧されると、封止係合部材９３は封止実行方向に押されるが、その引張力によって低強度連結部１０９が破断し、封止係合部材９３は連結部材１０８から切り離される。そして、封止操作部材９２が操作後位置に達したときに封止係合部材９３は所定の「封止後位置」に到達する（図８（ｂ））。
【００４０】
第１被係合部９４は、封止係合部材９３が封止前位置から封止後位置まで移動したときに係合ピン１０４に係合するもので、図６，図８，図９等に示すように、第１ケース体４１の底壁７１の内面側に、外部から容易に損壊可能な第１低強度部１１２を介して一体に立設されている。第１被係合部９４には、封止実行方向に貫通する第１係合孔１１３が係合ピン１０４に対応して設けられており、封止係合部材９３が封止前位置から封止後位置まで移動したとき、係合ピン１０４が第１係合孔１１３に貫通するようになっている。なお、第１被係合部９４は、係合ピン１０４が貫通したとき、主制御基板２３と平行な面内（開閉スライド方向と封止実行方向とで形成される平面内）での封止係合部材９３の揺動を規制するようになっている。なお、第１低強度部１１２は、例えば第１被係合部９４の立設位置に対応して底壁７１に設けられた薄肉部により構成されている。
【００４１】
第１規制部９５は、封止係合部材９３が封止前位置から封止後位置まで移動したときに封止係合部材９３に対して第１被係合部９４とは異なる位置に係合するもので、図６，図８，図９等に示すように、第１ケース体４１の底壁７１の内面側で且つ第１被係合部９４とは封止実行方向にずれた位置に一体に立設されており、封止後位置にある封止係合部材９３の例えば係合ピン１０４の圧入先端部１０７に対して開閉スライド方向のアンロック側（開口５６側）に係合するようになっている。
【００４２】
第２被係合部９６は、封止係合部材９３が封止前位置から封止後位置まで移動したときに係合ピン１０４に係合するもので、図６，図８，図９等に示すように、第２ケース体４２の封止側上壁５１ｂの内面側に、外部から容易に損壊可能な第２低強度部１１４を介して一体に立設されている。第２被係合部９６には、封止実行方向に貫通する第２係合孔１１５が係合ピン１０４に対応して設けられており、封止係合部材９３が封止前位置から封止後位置まで移動したとき、係合ピン１０４が第２係合孔１１５に貫通するようになっている。なお、第２被係合部９６は、係合ピン１０４が貫通したとき、主制御基板２３と平行な面内（開閉スライド方向と封止実行方向とで形成される平面内）での封止係合部材９３の揺動を規制するようになっている。第２低強度部１１４は、例えば第２被係合部９６の立設位置に対応して封止側上壁５１ｂに設けられた薄肉部により構成されている。
【００４３】
第２規制部９７は、封止係合部材９３が封止前位置から封止後位置まで移動したときに封止係合部材９３に対して第２被係合部９６とは異なる位置に係合するもので、図６，図８，図９等に示すように、第２ケース体４２の封止側上壁５１ｂの内面側で且つ第２被係合部９６とは封止実行方向にずれた位置に一体に立設されており、封止後位置にある封止係合部材９３に対して開閉スライド方向のロック側（仕切り壁５７側）に係合するようになっている。
【００４４】
主基板ケース２４を組み立てる際には、まず第２ケース体４２の内側に主制御基板２３を装着、固定すると共に、封止操作部材９２を第２ケース体４２側の封止案内枠９１に内側から装着して操作前位置に保持させ、また２つの封止係合部材９３が連結された連結部材１０８の挿通孔１１１をカシメピン１１０に挿通させた状態でカシメピン１１０の先端側を熱カシメ具により押し潰し、これによって２つの封止係合部材９３を第１ケース体４１側の封止前位置に固定しておく。なお、封止前位置に保持されている封止係合部材９３は、その圧入先端部１０７の先端側のごく一部のみが第１被係合部９４の第１係合孔１１３に掛かった状態となっている。
【００４５】
そして、第２ケース体４２の一対の係合突部６５を第１ケース体４１の被係合穴８３に差し込んだ後（図７（ａ））、第２ケース体４２の係合爪６６を第１ケース体４１の切り欠き部８１に嵌合させてアンロック状態に嵌め合わせ（図７（ｂ））、更に第２ケース体４２と第１ケース体４１とを互いに相対的にスライドさせて、第２ケース体４２側の係合爪６６を第１ケース体４１側の係止部８２に係合させ、第１ケース体４１と第２ケース体４２とを結合状態でロックする（図７（ｃ））。これにより、第１ケース体４１側の第１被係合部９４と第２ケース体４２側の第２被係合部９６とが封止実行方向に重なり、第１係合孔１１３と第２係合孔１１５とが封止実行方向に連通した状態となる（図８（ａ））。
【００４６】
続いて、複数（２組）の封止手段４３のうちの１つを用いて主基板ケース２４をこのロック状態で封止する。即ち、ドライバー等の工具を用いて２つの封止操作部材９２の一方を一番奥の操作後位置まで押し込む（図８（ａ）→（ｂ））。このとき、封止操作部材９２の押圧傾斜面９２ｆが封止係合部材９３の被押圧傾斜面９３ｂに摺接してこれを押圧するため、その引張力によって低強度連結部１０９が破断し、封止係合部材９３は第１ケース体４１から切り離された状態で封止実行方向に押し動かされる。
【００４７】
なお、上述したように封止係合部材９３は封止前位置において圧入先端部１０７の先端側の一部が第１被係合部９４の第１係合孔１１３に掛かった状態となっているため（図８（ａ））、連結部材１０８から切り離されてもその第１被係合部９４に案内されて封止実行方向から外れることはない。
【００４８】
そして封止係合部材９３は、封止実行方向に移動するに従って係合ピン１０４が第１被係合部９４の第１係合孔１１３、第２被係合部９６の第２係合孔１１５の順に貫通し、封止後位置に達したとき、第１規制部９５が封止係合部材９３の係合ピン１０４の圧入先端部１０７に対して開閉スライド方向のアンロック側（開口５６側）に係合し、また第２規制部９７が封止係合部材９３に対して開閉スライド方向のロック側（仕切り壁５７側）に係合する（図９，図１０）。
【００４９】
このように、第１ケース体４１側の第１被係合部９４と第２ケース体４２側の第２被係合部９６との両方に対して封止係合部材９３の係合ピン１０４が封止実行方向に貫通するため、第１ケース体４１と第２ケース体４２とは開閉スライド方向のアンロック側への相対的な移動が阻止され、そのままでは主基板ケース２４を開封することはできない。
【００５０】
また、例えば第１ケース体４１と第２ケース体４２との境界部分をこじ開けるなどして強引に隙間を作り、封止係合部材９３を封止前状態側にスライドさせようとしても、押圧傾斜面９２ｆと被押圧傾斜面９３ｂとは封止実行方向よりも封止操作方向寄りの傾斜角度となるように設けられており、しかも封止操作部材９２は第２突起１０２が封止案内枠９１の切欠部９９に係合することにより操作後位置で保持されているため、封止操作時のような軽い力では封止操作部材９２を操作前位置側に移動させることができず、そのような不正行為は実質的に困難である。
【００５１】
主基板ケース２４を開封するには、第１低強度部１１２と第２低強度部１１４とを共に損壊して第１被係合部９４と第２被係合部９６とを夫々第１ケース体４１、第２ケース体４２から切り離せばよい（図１１，図１２）。これにより、封止係合部材９３は第１ケース体４１と第２ケース体４２との何れからも完全に切り離された状態となるため、第１ケース体４１と第２ケース体４２とをアンロック側に相対的にスライドさせることができ、主基板ケース２４を開封することができる。
【００５２】
なお、第１低強度部１１２と第２低強度部１１４とのうちの一方のみを損壊しただけでは主基板ケース２４を開封することはできない。即ち、例えば第１低強度部１１２のみを損壊した場合、第１被係合部９４が第１ケース体４１から切り離されるが、依然として封止係合部材９３は第２被係合部９６により揺動不能に保持され、しかも第１規制部９５が封止係合部材９３の係合ピン１０４の圧入先端部１０７に対して開閉スライド方向のアンロック側（開口５６側）に係合しているため、第１ケース体４１と第２ケース体４２との開閉スライド方向のアンロック側への相対的な移動が阻止された状態は解消されない。
【００５３】
また、第２低強度部１１４のみを損壊した場合についても、第２被係合部９６は第２ケース体４２から切り離されるが、依然として封止係合部材９３は第１被係合部９４により揺動不能に保持され、しかも第２規制部９７が封止係合部材９３に対して開閉スライド方向のロック側（仕切り壁５７側）に係合しているため、同じく第１ケース体４１と第２ケース体４２との開閉スライド方向のアンロック側への相対的な移動が阻止された状態は解消されない。
【００５４】
以上、本発明の実施形態について詳述したが、本発明はこれらの実施形態に限定されるものではなく、本発明の趣旨を逸脱しない範囲で種々の変更が可能である。例えば、実施形態では、第１ケース体４１の内面側に第１被係合部９４及び第１規制部９５を、第２ケース体４２の内面側に第２被係合部９６及び第２規制部９７を夫々一体に設けたが、これらのうち、必須の構成は第２被係合部９６のみであり、他の第１被係合部９４、第１規制部９５、第２規制部９７については省略することも可能である。
【００５５】
即ち、実施形態では封止係合部材９３を封止後位置において第１ケース体４１側に保持する手段は第１被係合部９４のみであったが、例えば図１３に示すような案内レール１２１を設けることにより封止係合部材９３を第１ケース体４１に対して封止実行方向にのみスライド可能とすれば、その封止係合部材９３が第２被係合部９６に係合することにより第１ケース体４１と第２ケース体４２とは閉状態で封止される。但し、図１３に示すような案内レール１２１を設ける場合、第２被係合部９６を損壊することにより主基板ケース２４を開封することができるようにするためには第２規制部９６は省略する必要がある。なお、図１３の案内レール１２１は、封止係合部材９３の両側に一体に張り出した鍔部１２２を封止実行方向へのスライド可能に保持している。
【００５６】
また、第１規制部９５，第２規制部９７については、それらを設けることにより第１被係合部９４と第２被係合部９６との両方を損壊しなければ主基板ケース２４を開封できないようにすることができたが、例えば第１被係合部９４と第２被係合部９６との何れか一方の損壊によって主基板ケース２４を開封可能とすることを許容するのであれば第１規制部９５，第２規制部９７は省略することができる。
【００５７】
封止実行方向、開閉スライド方向及び封止操作方向については、封止実行方向が開閉スライド方向と封止操作方向との両方に略直交する関係にあればよく、例えば実施形態における封止操作方向と封止実行方向とが逆になるように構成してもよい。
【００５８】
第１低強度部１１２，第２低強度部１１４は、主基板ケース２４の外部から容易に損壊可能な構成であればよく、例えば第１被係合部９４，第２被係合部９６と第１ケース体４１，第２ケース体４２との間にミシン目状のスリットを形成してもよい。
【００５９】
複数の封止係合部材９３を個別に第１ケース体４１に装着してもよい。また、例えば各封止操作部材９２についても実施形態の封止係合部材９３と同様に低強度連結部を介して互いに一体に連結し、操作前位置から操作後位置に向けて押し込まれる際に切り離されるように構成してもよい。
【００６０】
第１，第２ケース体４１，４２を透明（無色又は有色）とし、封止操作部材９２と封止係合部材９３との少なくとも一方を不透明な任意色、又は第１，第２ケース体４１，４２とは異なる色の有色透明に形成してもよい。これにより、封止操作部材９２が操作前位置／操作後位置の何れにあるか、又は封止係合部材９３が封止前位置／封止後位置の何れにあるかを基板ケースの外側から容易に確認できる。なお、封止操作部材９２と封止係合部材９３とで色を異ならせてもよい。
【００６１】
また、実施形態では本発明をパチンコ機に適用した例を示したが、アレンジボール機、スロットマシン等の各種遊技機において同様に実施可能であることは言うまでもない。
【符号の説明】
【００６２】
２３    主制御基板（基板）
２４    主基板ケース（基板ケース）
４１    第１ケース体
４２    第２ケース体
４３    封止手段
９１    封止案内枠
９２    封止操作部材
９２ｆ  押圧傾斜面（押圧面）
９３    封止係合部材
９３ｂ  被押圧傾斜面（被押圧面）
９４    第１被係合部
９５    第１規制部
９６    第２被係合部
９７    第２規制部
１０１    第１突起（操作前位置保持手段）
１０２    第２突起（操作後位置保持手段）
１０３    係合突起（抜け止め手段）
１０４    係合ピン（係合部）
１０８    連結部材
１０９    低強度連結部
１１２    第１低強度部
１１４    第２低強度部
【図１】
2011147601.tif 000003
【図２】
2011147601.tif 000004
【図３】
2011147601.tif 000005
【図４】
2011147601.tif 000006
【図５】
2011147601.tif 000007
【図６】
2011147601.tif 000008
【図７】
2011147601.tif 000009
【図８】
2011147601.tif 000010
【図９】
2011147601.tif 000011
【図１０】
2011147601.tif 000012
【図１１】
2011147601.tif 000013
【図１２】
2011147601.tif 000014
【図１３】
2011147601.tif 000015